(57)【要約】【課題】  簡単な操作により蓋体の開閉を可能とし使い勝手の向上を図る。【解決手段】  携帯用機器５００を収納する収納部１２を有するケース体２と、ケース体にヒンジ部４を介して回動可能に連結されると共に開放位置と閉塞位置との間で回動される蓋体３と、ケース体の外周部にロック位置とロック解除位置の間で回動可能に支持されると共にロック位置に回動されて蓋体をケース体に対してロックする一対のバックル７、７とを設け、蓋体の外周部には一対のバックルがそれぞれ係合される一対の係合部２２、２２が設けられ、一対のバックルは外周が曲線状に形成され、ケース体に支持された一対のバックルが収納部を挟んで反対側に位置された。【選択図】        図１
2012049793.tif 000002
【特許請求の範囲】
【請求項１】
内部空間に携帯用機器を収納し収納した前記携帯用機器から出力される音声又は画像の少なくとも一方を外部へ出力し、
前記携帯用機器を収納する収納部を有するケース体と、
前記ケース体にヒンジ部を介して回動可能に連結されると共に前記ケース体の収納部を開放する開放位置と前記ケース体の収納部を閉塞する閉塞位置との間で回動される蓋体と、
前記ケース体又は前記蓋体の一方の外周部にロック位置とロック解除位置の間で回動可能に支持されると共に前記蓋体が前記閉塞位置に回動された状態において前記ロック位置に回動されて前記蓋体を前記ケース体に対してロックする一対のバックルとを備え、
前記蓋体が前記閉塞位置に回動され前記蓋体が前記一対のバックルによって前記ケース体に対してロックされた状態において前記蓋体と前記ケース体によって形成された前記内部空間が防水される構成とされ、
前記ケース体又は前記蓋体の他方の外周部には前記ロック位置に回動された前記一対のバックルがそれぞれ係合される一対の係合部が設けられ、
前記一対のバックルは外周が曲線状に形成され、
前記ケース体に支持された前記一対のバックル又は前記ケース体に設けられた前記一対の係合部が前記収納部を挟んで反対側に位置された
出力装置。
【請求項２】
前記バックルに係止爪が設けられ、
前記係合部に前記係止爪が係止される被係止片が設けられ、
前記係合部に、前記バックルが前記ロック位置に回動されている状態において前記蓋体が前記開放位置から前記閉塞位置へ向けて回動されたときに前記係止爪に接して前記バックルを前記ロック位置から前記ロック解除位置へ向けて回動させる作用リブを設けた
請求項１に記載の出力装置。
【請求項３】
前記バックルに二つの係止爪が設けられ、
前記係合部に前記二つの係止爪がそれぞれ係止される二つの被係止片が設けられ、
前記バックルの二つの係止爪を前記バックルの外周が延びる方向における両端部に設けた
請求項１に記載の出力装置。
【請求項４】
前記蓋体の前記ケース体に対するロックが解除されたときに、前記バックルがロック解除位置に保持されるようにした
請求項１に記載の出力装置。
【請求項５】
前記バックルに使用者が指を宛う把持用凹部を形成した
請求項１に記載の出力装置。
【発明の詳細な説明】
【技術分野】
【０００１】
本発明は出力装置についての技術分野に関する。詳しくは、防水性を備えた出力装置において一対のバックルを設けて簡単な操作により蓋体の開閉を可能とし使い勝手の向上を図る技術分野に関する。
【背景技術】
【０００２】
音楽再生装置や画像再生装置等の携帯用機器を内部空間に収納し収納した携帯用機器から出力される音声や画像を外部へ出力する出力装置がある。
【０００３】
このような出力装置には、ケース体に対して蓋体が開閉可能とされ、蓋体を開放した状態において内部空間に携帯用機器を装着し、蓋体をケース体に結合して携帯用機器を閉塞して内部空間に収納して保持するように構成されたものがある（例えば、特許文献１参照）。
【０００４】
特許文献１に記載された出力装置においては、ケース体に、例えば、携帯用機器から出力される音声を外部に出力するためのスピーカー部が設けられている。蓋体には窓部が形成され、窓部を覆うようにして可撓性を有する透明な操作シートが取り付けられている。
【０００５】
蓋体がケース体に結合された状態においては、ケース体に回動可能に支持された三つのバックルがそれぞれ回動され、回動された各バックルがそれぞれ蓋体に係止されて蓋体がケース体に対してロックされ内部空間が密閉されて防水性が図られる。ケース体に対して蓋体がロックされ携帯用機器が内部空間に収納された状態においては、操作シートが携帯用機器に押し付けられて携帯用機器が押さえられ、携帯用機器の内部空間における不必要な移動が防止される。
【０００６】
使用者は、外面側から操作シートとともに携帯用機器の操作部を操作することにより、例えば、携帯用機器から出力される音声を外部に出力することができる。
【０００７】
【特許文献１】特開２００７−３１３０２０号公報
【発明の開示】
【発明が解決しようとする課題】
【０００８】
ところが、特許文献１に記載された出力装置にあっては、上部と左右に合計で三つのバックルが設けられ、三つのバックルをそれぞれ回動させて蓋体のケース体に対するロックを行う構成とされている。従って、両手を使用しても一度の操作によってロックを行うことができず、使い勝手が悪いと言う問題がある。
【０００９】
また、蓋体がケース体から取り外された状態においては蓋体がケース体から分離された構成とされているため、蓋体をケース体に対して位置合わせした後にバックルを回動させてロックを行う必要があり、蓋体のケース体への結合が面倒であり、やはり使い勝手が悪いと言う問題がある。
【００１０】
そこで、本発明出力装置は、上記した問題点を克服し、簡単な操作により蓋体の開閉を可能とし使い勝手の向上を図ることを課題とする。
【課題を解決するための手段】
【００１１】
出力装置は、上記した課題を解決するために、内部空間に携帯用機器を収納し収納した前記携帯用機器から出力される音声又は画像の少なくとも一方を外部へ出力し、前記携帯用機器を収納する収納部を有するケース体と、前記ケース体にヒンジ部を介して回動可能に連結されると共に前記ケース体の収納部を開放する開放位置と前記ケース体の収納部を閉塞する閉塞位置との間で回動される蓋体と、前記ケース体又は前記蓋体の一方の外周部にロック位置とロック解除位置の間で回動可能に支持されると共に前記蓋体が前記閉塞位置に回動された状態において前記ロック位置に回動されて前記蓋体を前記ケース体に対してロックする一対のバックルとを備え、前記蓋体が前記閉塞位置に回動され前記蓋体が前記一対のバックルによって前記ケース体に対してロックされた状態において前記蓋体と前記ケース体によって形成された前記内部空間が防水される構成とされ、前記ケース体又は前記蓋体の他方の外周部には前記ロック位置に回動された前記一対のバックルがそれぞれ係合される一対の係合部が設けられ、前記一対のバックルは外周が曲線状に形成され、前記ケース体に支持された前記一対のバックル又は前記ケース体に設けられた前記一対の係合部が前記収納部を挟んで反対側に位置されたものである。
【００１２】
従って、出力装置にあっては、ヒンジ部を支点として蓋体が閉塞位置に回動された状態において一対のバックルがロック位置に回動されて蓋体がケース体に対してロックされる。
【００１３】
上記した出力装置においては、前記バックルに係止爪が設けられ、前記係合部に前記係止爪が係止される被係止片が設けられ、前記係合部に、前記バックルが前記ロック位置に回動されている状態において前記蓋体が前記開放位置から前記閉塞位置へ向けて回動されたときに前記係止爪に接して前記バックルを前記ロック位置から前記ロック解除位置へ向けて回動させる作用リブを設けることが望ましい。
【００１４】
係合部に作用リブを設けることにより、蓋体がロック位置に回動されている状態において蓋体が開放位置から閉塞位置へ向けて回動されたときにバックルがロック解除位置に回動される。
【００１５】
上記した出力装置においては、前記バックルに二つの係止爪が設けられ、前記係合部に前記二つの係止爪がそれぞれ係止される二つの被係止片が設けられ、前記バックルの二つの係止爪を前記バックルの外周が延びる方向における両端部に設けることが望ましい。
【００１６】
バックルの二つの係止爪をバックルの外周が延びる方向における両端部に設けることにより、ケース体の周方向において離隔する合計４箇所でバックルの係止爪が蓋体の被係止片に係合される。
【００１７】
上記した出力装置においては、前記蓋体の前記ケース体に対するロックが解除されたときに、前記バックルがロック解除位置に保持されることが望ましい。
【００１８】
蓋体のケース体に対するロックが解除されたときに、バックルがロック解除位置に保持されることにより、蓋体が開放位置から閉塞位置へ向けて回動されたときに蓋体がバックルに接触されない。
【００１９】
上記した出力装置においては、前記バックルに使用者が指を宛う把持用凹部を形成することが望ましい。
【００２０】
バックルに使用者が指を宛う把持用凹部を形成することにより、把持用凹部が操作されることにより、バックルがロック位置からロック解除位置まで回動される。
【発明の効果】
【００２１】
本発明出力装置は、内部空間に携帯用機器を収納し収納した前記携帯用機器から出力される音声又は画像の少なくとも一方を外部へ出力し、前記携帯用機器を収納する収納部を有するケース体と、前記ケース体にヒンジ部を介して回動可能に連結されると共に前記ケース体の収納部を開放する開放位置と前記ケース体の収納部を閉塞する閉塞位置との間で回動される蓋体と、前記ケース体又は前記蓋体の一方の外周部にロック位置とロック解除位置の間で回動可能に支持されると共に前記蓋体が前記閉塞位置に回動された状態において前記ロック位置に回動されて前記蓋体を前記ケース体に対してロックする一対のバックルとを備え、前記蓋体が前記閉塞位置に回動され前記蓋体が前記一対のバックルによって前記ケース体に対してロックされた状態において前記蓋体と前記ケース体によって形成された前記内部空間が防水される構成とされ、前記ケース体又は前記蓋体の他方の外周部には前記ロック位置に回動された前記一対のバックルがそれぞれ係合される一対の係合部が設けられ、前記一対のバックルは外周が曲線状に形成され、前記ケース体に支持された前記一対のバックル又は前記ケース体に設けられた前記一対の係合部が前記収納部を挟んで反対側に位置されている。
【００２２】
従って、両手を使用して一度の操作によって蓋体のケース体に対するロック及びロックの解除を行うことが可能であり、出力装置の使い勝手の向上を図ることができる。
【００２３】
また、ケース体と蓋体はヒンジ部によって連結され蓋体が開放位置にある状態においても蓋体がケース体から分離されないため、蓋体をケース体に対して位置合わせしてから蓋体のケース体に対するロックを行う必要がなく、一層の使い勝手の向上を図ることができる。
【００２４】
請求項２に記載した発明にあっては、前記バックルに係止爪が設けられ、前記係合部に前記係止爪が係止される被係止片が設けられ、前記係合部に、前記バックルが前記ロック位置に回動されている状態において前記蓋体が前記開放位置から前記閉塞位置へ向けて回動されたときに前記係止爪に接して前記バックルを前記ロック位置から前記ロック解除位置へ向けて回動させる作用リブを設けている。
【００２５】
従って、バックルがロック位置に回動されている状態においても、蓋体が開放位置から閉塞位置へ向けて回動されることにより、バックルが作用リブによってロック解除位置まで回動され、蓋体の円滑な回動動作を確保することができる。
【００２６】
請求項３に記載した発明にあっては、前記バックルに二つの係止爪が設けられ、前記係合部に前記二つの係止爪がそれぞれ係止される二つの被係止片が設けられ、前記バックルの二つの係止爪を前記バックルの外周が延びる方向における両端部に設けている。
【００２７】
従って、ケース体の周方向において離隔する合計４箇所でバックルの係止爪が蓋体の被係止片に係合されるため、蓋体のケース体に対するロック状態の安定化を図ることができると共に良好な防水性を確保することができる。
【００２８】
請求項４に記載した発明にあっては、前記蓋体の前記ケース体に対するロックが解除されたときに、前記バックルがロック解除位置に保持されるようにしている。
【００２９】
従って、蓋体がバックルに接触することがなく、蓋体の円滑な回動動作を確保することができる。
【００３０】
請求項５に記載した発明にあっては、前記バックルに使用者が指を宛う把持用凹部を形成している。
【００３１】
従って、使用者による出力装置の把持及びバックルに対する操作が容易であり、出力装置の使い勝手の向上を図ることができる。
【発明を実施するための最良の形態】
【００３２】
以下に、本発明を実施するための最良の形態を添付図面に従って説明する。
【００３３】
本発明出力装置は、例えば、内部空間に収納した携帯用機器から出力される音声や画像を外部へ出力する装置であり、ケース体とケース体に対してヒンジ部を介して回動可能に連結された蓋体とを有している。
【００３４】
以下の説明においては、説明の便宜上、出力装置の通常の使用状態において方向を示すものとし、携帯用機器が内部空間に収納された状態において、ケース体が位置する側を後方、蓋体が位置する側を前方とする。また、ヒンジ部が下方に位置され、スピーカー部が左右に位置されているものとして方向を示す。
【００３５】
尚、以下に示す上下前後左右の方向は、説明の便宜上示すものであり、本発明はこれらの方向に限定して適用されることはない。
【００３６】
＜出力装置の構成＞
出力装置１は、図１乃至図４に示すように、ケース体２と蓋体３が下端部に設けられたヒンジ部４を介して連結され、蓋体３はケース体２に対してヒンジ部４を介して回動可能とされている。
【００３７】
ケース体２は、例えば、外形が稍横長の長円状に形成され、外周面から後面の外周部に亘る部分は外方へ凸の曲面状に形成されている（図２参照）。ケース体の上面には左右に離隔して操作釦５、５が配置されている（図１及び図２参照）。操作釦５、５は、例えば、後述する携帯用機器から出力される音声の音量を調整する音量調整釦として機能する。
【００３８】
ケース体２の背面側の下端部にはスタンド６が回動可能に連結されている（図２参照）。スタンド６は上端部がケース体２に連結されている。スタンド６を回動させてケース体２から引き出すことにより出力装置１を縦置き状態で載置することができる（図５参照）。
【００３９】
ケース体２の左右両側部における上方側の部分にはそれぞれ浅い配置用切欠２ａ、２ａが形成されている（図６参照）。ケース体２の左右両側部における上方側の部分にはそれぞれバックル７、７が回動自在に支持されている。バックル７、７はロック位置（図１及び図２参照）とロック解除位置（図４及び図６参照）の間で回動可能とされ、ロック位置においてそれぞれ前端部を除く部分が配置用切欠２ａ、２ａに収納される。
【００４０】
バックル７は本体８と本体８の前端部における上下両端部（周方向における両端部）から内方へ突出された係止爪９、９と本体８の内面側に設けられた支点軸部１１、１１とが一体に形成されて成る（図４、図７、図８及び図９参照）。
【００４１】
本体８はケース体２の形状に沿う厚みの薄い形状に形成され、後面を除く外面が曲面状に形成されている。本体８の後面には使用者が指１００、例えば、親指を宛うための把持用凹部８ａが形成されている（図１０参照）。
【００４２】
係止爪９は、例えば、三角形状に形成され、本体８に対して弾性変形可能とされ、先端部の後面に後方へ突出された係止突部１０が設けられている（図８及び図９参照）。係止突部１０は先端側に位置し本体８に近付くに従って後方へ変位するように傾斜する第１の傾斜面１０ａと第１の傾斜面１０ａに連続し本体８に近付くに従って前方へ変位するように傾斜する第２の傾斜面１０ｂとを有している。係止爪９には本体８寄りの部分に後方へ突出された補強リブ９ａが設けられている。
【００４３】
支点軸部１１、１１は軸方向に離隔して設けられバックル７のケース体２に対する回動支点として機能し、本体８の後端寄りの位置に設けられている（図２参照）。従って、バックル７は回動支点１１、１１より前側の部分が後側の部分より重量が大きくされており、バックル７に外力が付与されていない状態においてケース体２が蓋体３より下方側に位置するように傾くと、バックル７は自重によりロック位置からロック解除位置に回動し易い状態となる。
【００４４】
バックル７、７は、ロック位置にある状態において外面がケース体２の外面に連続するように位置され（図５及び図９参照）、ロック解除位置にある状態において前端部がケース体２の外面より外側に位置される（図６及び図８参照）。
【００４５】
ケース体２の前面２ｂには左右方向における中央部に収納部１２が設けられている（図４及び図７参照）。収納部１２には縦長の略矩形の枠状に形成された収納用リブ１３が設けられ、収納用リブ１３の内部が収納凹部１４として形成されている。
【００４６】
収納用リブ１３は上下に離隔して位置され左右に延びる第１の規制壁１５、１５と左右に離隔して位置され上下に延びる第２の規制壁１６、１６とから成る。
【００４７】
収納用リブ１３は外面が前方を向く先端面１３ａと先端面１３ａの外縁に連続する外周面１３ｂと先端面１３ａの内縁に連続する内周面１３ｃとによって構成されている。第２の規制壁１６、１６の上下方向における中央部にはそれぞれ取出用凹部１６ａ、１６ａが形成されている。取出用凹部１６ａ、１６ａは収納凹部１４に連通され、先端面１３ａが後方へ凸の略円弧状に形成されている。
【００４８】
収納用リブ１３においては、図４に示すように、第１の規制壁１５、１５の先端面１３ａの幅（上下の幅Ｈ１）が第２の規制壁１６、１６の先端面１３ａの幅（左右の幅Ｈ２）より小さくされている。
【００４９】
このように第１の規制壁１５、１５の先端面１３ａの幅Ｈ１を小さくすることにより、上下方向が長手方向とされている収納用リブ１３の長手方向の大きさを最小限にして出力装置１の小型化を図ることができる。
【００５０】
また、収納用リブ１３の内周面１３ｃと携帯用機器５００（図１１参照）の外周面との間隔は、携帯用機器５００の大きさを考慮すると、第２の規制壁１６、１６との左右方向における間隔が第１の規制壁１５、１５との上下方向における間隔より小さくなり易い。従って、携帯用機器５００との接触が第２の規制壁１６、１６の方が第１の規制壁１５、１５よりも生じる可能性が高く、第２の規制壁１６、１６の先端面１３ａの幅Ｈ２を大きくすることにより、第２の規制壁１６、１６の剛性を高め携帯用機器５００との接触時における損傷の防止を図ることができる。
【００５１】
収納凹部１４は収納用リブ１３の内周面１３ｃと底面である前方を向く載置面１４ａとによって形成されている（図４及び図７参照）。
【００５２】
ケース体２には電池装着部２ｃが設けられており（図８及び図９参照）、電池装着部２ｃは電池蓋１７によって閉塞されている（図７乃至図９参照）。電池蓋１７は収納凹部１４の略上半部に配置され、電池蓋１７の前面が載置面１４ａの一部として形成されている。使用者は電池蓋１７を開放することにより電池装着部２ｃに電池２００、２００、・・・を装着することができる。
【００５３】
電池蓋１７には前方に開口された浅い取付用凹部１７ａが形成されている（図７参照）。電池蓋１７の取付用凹部１７ａにはゴム材料、例えば、シリコンゴムによって形成された滑り止めシート１８が取り付けられる。収納凹部１４に滑り止めシート１８を配置することにより、収納凹部１４に収納される携帯用機器５００の滑りが防止され、収納凹部１４における携帯用機器５００の収納状態の安定性を図ることができる。
【００５４】
収納凹部１４には電池蓋１７の下側に、前方に開口されたケーブル配置溝１４ｂと前方に開口されたコネクター配置溝１４ｃとが上下に連続して形成されている。
【００５５】
ケーブル配置溝１４ｂにはケーブル３００が配置されており、ケーブル３００は一端部がケース体２の内部に配置された図示しない回路基板に接続されている。ケーブル３００の他端部はコネクター４００に接続され、コネクター４００はコネクター配置溝１４ｃに配置される。
【００５６】
コネクター４００とケーブル３００はそれぞれコネクター配置溝１４ｃとケーブル配置溝１４ｂから前方へ引き出すことが可能であり（図１１参照）、コネクター４００とケーブル３００を引き出すことにより携帯用機器５００の接続端子部５０１へのコネクター４００の接続を容易に行うことができる。
【００５７】
ケース体２の前面２ｂにおける収納用リブ１３の外周側には枠状の防水用リブ１９が設けられている。防水用リブ１９はケース体２からの突出量が僅かな量とされ、縦長の略矩形状に形成されている。
【００５８】
ケース体２の前面２ｂには収納部１２の左右にそれぞれスピーカー配置部２０、２０が前方へ突出した状態で設けられている。スピーカー配置部２０、２０には音声を出力するための出力孔２０ａ、２０ａ、・・・が形成されている。スピーカー配置部２０、２０の内部にはそれぞれスピーカー２１、２１やアンプ回路等の音声出力用の各部が配置されている。
【００５９】
尚、出力装置１にあっては、出力孔２０ａ、２０ａ、・・・がケース体２の内部に連通されているが、ケース体２の内部には出力孔２０ａ、２０ａ、・・・からケース体２の内部に配置された各部への水分の侵入が防止されるような図示しない防水構造が設けられている。
【００６０】
蓋体３はケース体２と同様に外形が稍横長の長円状に形成され、外周面から前面の外周部に亘る部分は外方へ凸の曲面状に形成されている（図１参照）。
【００６１】
蓋体３の左右方向における中央部には前後に貫通された縦長の窓部３ａが形成され、窓部３ａはケース体２の収納用リブ１３の外形と略同じ大きさ及び形状に形成されている。
【００６２】
蓋体３には窓部３ａの左右にそれぞれ音声出力孔３ｂ、３ｂ、・・・が形成されている。蓋体３の後面側には、図４に示すように、窓部３ａの左右にそれぞれ後方に開口された凹部３ｃ、３ｃが形成され、音声出力孔３ｂ、３ｂ、・・・が凹部３ｃ、３ｃに連通されている。
【００６３】
蓋体３の左右両側部における上方側の部分には、図４、図８及び図９に示すように、それぞれ浅い切欠部３ｄ、３ｄが形成され、蓋体３における切欠部３ｄ、３ｄが形成された部分はそれぞれ係合部２２、２２として設けられている。
【００６４】
係合部２２の上下両端部（周方向における両端部）にはそれぞれ外方へ突出された被係止片２３、２３が設けられている。被係止片２３、２３は先端が蓋体３の外周面より内側に位置されている。
【００６５】
係合部２２には被係止片２３、２３に隣接する部分にそれぞれ外方に開口された三角形状の逃げ切欠２２ａ、２２ａ、・・・が形成されている（図１２参照）。
【００６６】
被係止片２３は弾性変形可能とされ、先端部の前面に前方へ突出された被係止突部２４が設けられている（図８及び図９参照）。被係止突部２４は先端側に位置し先端から遠去かるに従って前方へ変位するように傾斜する第１の斜面２４ａと第１の斜面２４ａに連続し先端から遠去かるに従って後方へ変位するように傾斜する第２の斜面２４ｂとを有している。
【００６７】
被係止片２３、２３、・・・のうち、例えば、下側に位置する二つの被係止片２３、２３の後面にはそれぞれ後方へ突出された作用リブ２３ａ、２３ａが設けられている（図３及び図４参照）。作用リブ２３ａは内方へ行くに従って突出量が大きくなるような略三角形状に形成されている。
【００６８】
蓋体３の背面側には、図１２に示すように、窓部３ａの外周側にそれぞれ枠状の内側壁部２５と外側壁部２６が設けられ、外側壁部２６は内側壁部２５の外周側に一定の間隔で離隔して設けられている。内側壁部２５と外側壁部２６の間の空間は後方に開口された保持溝２７として形成されている。
【００６９】
蓋体３の背面側には外側壁部２６の上下に第１の取付溝２８、２８が形成され、第１の取付溝２８、２８はそれぞれ左右に延び後方に開口されている。また、蓋体３の背面側には外側壁部２６の左右に第２の取付溝２９、２９、・・・が形成され、第２の取付溝２９、２９、・・・はそれぞれ上下に延び後方に開口されている。
【００７０】
蓋体３には操作シート３０が取り付けられる（図４参照）。操作シート３０は透明又は半透明のゴム材料、例えば、シリコンゴムによって形成されている。操作シート３０は、図１３及び図１４に示すように、縦長の略矩形状に形成された表面部３１と表面部３１の外周縁から後方へ立ち上げられた周面部３２と周面部３２の後縁から外方へ貼り出されたフランジ部３３とが一体に形成されて成る。
【００７１】
表面部３１は、上下方向における中央に位置する略３分の１の部分が前後方向を向く平板状の押さえ面部３１ａとして設けられ、押さえ面部３１ａの上下に位置する部分がそれぞれ押さえ面部３１ａから離隔するに従って前方へ変位するように緩やかに傾斜された傾斜面部３１ｂ、３１ｃとして設けられている。
【００７２】
周面部３２は後方へ行くに従って外側へ緩やかに変位するように傾斜され、前端の外周より後端の外周が一回り大きくされている。
【００７３】
フランジ部３３は、前後方向を向くベース部３３ａと、ベース部３３ａからそれぞれ前方へ突出された環状の内側突条３３ｂ及び外側突条３３ｃと、ベース部３３ａからそれぞれ前方へ突出された第１の被取付突部３３ｄ、３３ｄ及び第２の被取付突部３３ｅ、３３ｅ、・・・とから成る。内側突条３３ｂは周面部３２の外側に周面部３２と一定の間隔を有した状態で位置され、外側突条３３ｃは内側突条３３ｂの外側に内側突条３３ｂと一定の間隔を有した状態で位置されている。第１の被取付突部３３ｄ、３３ｄはそれぞれ外側突条３３ｃの上下に位置され、外側突条３３ｃと離隔し左右方向に延びる状態で設けられている。第２の被取付突部３３ｅ、３３ｅ、・・・はそれぞれ外側突条３３ｃの左右に位置され、外側突条３３ｃと離隔し上下に延びる状態で設けられている。
【００７４】
操作シート３０は窓部３ａの背面側から表面部３１と周面部３２が挿入される（図１５及び図１６参照）。操作シート３０は、保持溝２７に内側突条３３ｂと外側突条３３ｃが嵌合され、第１の取付溝２８、２８にそれぞれ第１の被取付突部３３ｄ、３３ｄが嵌合され、第２の取付溝２９、２９、・・・にそれぞれ第２の被取付突部３３ｅ、３３ｅ、・・・が嵌合されることにより蓋体３に取り付けられる。
【００７５】
＜蓋体の開閉動作＞
以下に、蓋体３の開閉動作について説明する。
【００７６】
蓋体３が開放されている状態においては、収納部１２の収納凹部１４に携帯用機器５００が挿入されて配置される（図１７参照）。携帯用機器５００を収納凹部１４に配置するときには、接続端子部５０１にコネクター４００を接続する。このとき、上記したように、コネクター４００とケーブル３００をそれぞれコネクター配置溝１４ｃとケーブル配置溝１４ｂから前方へ引き出すことが可能であるため、接続端子部５０１へのコネクター４００の接続を容易に行うことができる。
【００７７】
収納凹部１４に配置された携帯用機器５００は、画像や文字を表示する表示面５０２及び所定の操作を行う操作部５０３が前方を向いた状態で載置面１４ａに載置される。携帯用機器５００が載置面１４ａに載置された状態においては、電池蓋１７に取り付けられた滑り止めシート１８によって携帯用機器５００の滑りが防止され、携帯用機器５００の配置状態が安定する。
【００７８】
蓋体３が開放された開放位置においては、ケース体２に支持されたバックル７、７がロック解除位置に回動されている。
【００７９】
蓋体３がヒンジ部４を支点として閉塞位置まで回動されると、操作シート３０がケース体２の収納用リブ１３に外嵌され（図１５及び図１６参照）、操作シート３０によって収納凹部１４及び収納凹部１４に配置された携帯用機器５００が閉塞される。
【００８０】
操作シート３０が収納用リブ１３に外嵌された状態においては、表面部３１の外周部が収納用リブ１３の先端面１３ａに当接又は近接して位置され、周面部３２が収納用リブ１３の外周面１３ｂに当接又は近接して位置される。
【００８１】
操作シート３１のフランジ部３３はベース部３３ａの後面がケース体２の前面２ｂに押し付けられた状態とされる。このときフランジ部３３はベース部３３ａの内側突条３３ｂと外側突条３３ｃの間の部分が防水用リブ１９に押し付けられ、収納凹部１４の防水性が図られる。
【００８２】
蓋体３が閉塞位置に回動された状態においては、操作シート３０の表面部３１の一部を除く部分、例えば、押さえ面部３１ａ又は押さえ面部３１ａと傾斜面部３１ｂ、３１ｃの一部とによって携帯用機器５００が押さえられる（図１５参照）。
【００８３】
出力装置１にあっては、収納用リブ１３によって収納部１２の大きさを一定の大きさに規定し、収納用リブ１３の大きさ及び形状に合わせて操作シート３０が表面部３１と周面部３２を有する箱状に形成されている。従って、収納部１２及び蓋体３の窓部３ａが必要最小限の大きさに形成され、出力装置１の小型化を図ることができる。
【００８４】
また、収納部１２に前面２ｂから前方へ突出された収納用リブ１３を設けているため、例えば、前面１２ｂに水分が付着したときの収納凹部１４への水分の侵入が防止され、防水性の向上を図ることができる。
【００８５】
さらに、収納凹部１４に収納された携帯用機器５００が、例えば、衝撃や振動等によって位置が移動された場合においても、移動された携帯用機器５００が収納用リブ１３に接して移動が規制される。従って、衝撃や振動等が生じた場合においても、操作シート３０の表面部３１に携帯用機器５００が押さえられた状態を維持することができる。
【００８６】
蓋体３が閉塞位置へ向けて回動されるときには、上記したように、バックル７、７は自重によりロック位置からロック解除位置へ回動し易い状態とされているため、ケース体２が一定の向きにある状態を除いて、バックル７、７がロック解除位置に保持されている（図４参照）。
【００８７】
このとき蓋体３が開放位置から閉塞位置へ向けて回動されたときには、蓋体３の係合部２２、２２に形成された逃げ切欠２２ａ、２２ａ、・・・にそれぞれバックル７、７の係止爪９、９、・・・が挿入される。従って、蓋体３がバックル７、７に接触することがなく、蓋体３の円滑な回動動作を確保することができる。
【００８８】
尚、ケース体２が一定の向きにある状態においては、バックル７、７の少なくとも一方がロック位置に存在している可能性もあるが、この場合には以下のような動作によって、バックル７がロック位置からロック解除位置に回動される（図１８乃至図２０参照）。
【００８９】
バックル７がロック位置にある状態において、蓋体３が開放位置から閉塞位置へ向けて回動されていくと、蓋体３の被係止片２３に設けられた作用リブ２３ａがバックル７の係止爪９の先端縁に接触される（図１８参照）。
【００９０】
蓋体３が開放位置から閉塞位置へ向けてさらに回動されていくと、作用リブ２３ａが内方へ行くに従って突出量が大きくなるような略三角形状に形成されているため、係止爪９の先端縁が作用リブ２３ａに摺接されてロック解除位置へ向けて回動されていく（図１９参照）。
【００９１】
さらに蓋体３が開放位置から閉塞位置へ向けて回動されていくことにより蓋体３が閉塞位置に至り、係止爪９の先端縁が作用リブ２３ａから離隔され、バックル７がロック解除位置まで回動される（図２０参照）。
【００９２】
このようにバックル７がロック位置にある状態においても、蓋体３が開放位置から閉塞位置へ向けて回動されることにより、バックル７が作用リブ２３ａによってロック解除位置まで回動されるため、蓋体３の円滑な回動動作を確保することができる。
【００９３】
蓋体３が閉塞位置に回動された状態において、バックル７、７をロック解除位置からロック位置へ向けて回動させることにより、以下のように蓋体３がケース体２に対して閉塞位置においてロックされる（図２１乃至図２３参照）。
【００９４】
バックル７がロック解除位置からロック位置へ向けて回動されていくと、バックル７の係止爪９に設けられた係止突部１０の第１の傾斜面１０ａが蓋体３の被係止片２３に設けられた被係止突部２４の第１の斜面２４ａに接する（図２１参照）。
【００９５】
さらにバックル７がロック位置へ向けて回動されていくと、係止突部１０の第１の傾斜面１０ａと被係止突部２４の第１の斜面２４ａとが摺動され、係止爪９と被係止片２３が弾性変形されて係止爪９が被係止片２３に乗り上げる（図２２参照）。
【００９６】
バックル７がさらにロック位置へ向けて回動されていくと、係止突部１０の第２の傾斜面１０ｂと被係止突部２４の第２の斜面２４ｂとが摺動され、係止爪９と被係止片２３が弾性復帰されて係止突部１０の第２の傾斜面１０ｂと被係止突部２４の第２の斜面２４ｂとが係合される（図２３参照）。係止突部１０の第２の傾斜面１０ｂと被係止突部２４の第２の斜面２４ｂとが係合されることにより、バックル７がロック位置に至り、蓋体３がケース体２に対してロックされる。
【００９７】
蓋体３がケース体２に対してロックされた状態においては、係止爪９、９、・・・に設けられた補強リブ９ａ、９ａ、・・・の各先端面がケース体２の前面２ｂに接する。従って、蓋体３、ケース体４又はバックル７、７に衝撃が付与されたときの係止爪９、９、・・・の変形や損傷を防止することができると共に蓋体３のケース体２に対する安定したロック状態を確保することができる。
【００９８】
上記のように蓋体３がケース体２に対してロックされると、操作シート３１のフランジ部３３がケース体２の前面２ｂにおける収納用リブ１３の周囲の部分に押し付けられ、収納部１２に対する良好な防水性が確保される。
【００９９】
蓋体３がケース体２に対してロックされた状態において、操作シート３０によって収納凹部１４の載置面１４ａに押し付けられている携帯用機器５００の操作部５０３に対して指１００によって操作を行う（図２４参照）。携帯用機器５００の操作部５０３に対する操作により、例えば、コネクター４００を介して携帯用機器５００からの音声の出力がスピーカー２１、２１に送出され、スピーカー２１、２１から音声が出力される。スピーカー２１、２１から出力された音声は、ケース体２のスピーカー配置部２０、２０に形成された出力孔２０ａ、２０ａ、・・・及び蓋体３に形成された音声出力孔３ｂ、３ｂ、・・・を介して外部へ出力される。
【０１００】
また、携帯用機器５００の表示面５０２に表示された（出力された）画像が操作シート３０の表面部３１を透過されて外部へ出力される。
【０１０１】
蓋体３がケース体２に対してロックされた状態において、バックル７、７をロック位置からロック解除位置へ向けて回動させることにより、蓋体３のケース体２に対するロックが解除される。
【０１０２】
このとき使用者はバックル７、７の把持用凹部８ａ、８ａを前方へ押圧することにより、図１０に示すように、バックル７、７をロック位置からロック解除位置まで回動することができる。
【０１０３】
このようにバックル７、７にはそれぞれ把持用凹部８ａ、８ａが形成されているため、使用者による出力装置１の把持及びバックル７、７に対する操作が容易であり、出力装置１の使い勝手の向上を図ることができる。
【０１０４】
バックル７のロック位置からロック解除位置までの回動動作は、ロック解除位置からロック位置までの回動動作と逆の動作である。即ち、蓋体３のケース体２に対するロックの解除は、バックル７がロック位置からロック解除位置へ向けて回動されて係止爪９と被係止片２３が弾性変形され係止爪９が被係止片２３に乗り上げ、さらにバックル７がロック解除位置へ向けて回動されて係止爪９と被係止片２３が弾性復帰されることにより行われる。
【０１０５】
蓋体３のケース体２に対するロックが解除された状態において、蓋体３を閉塞位置から開放位置まで回動させることにより収納凹部１４から携帯用機器５００を取り出すことができる。
【０１０６】
収納凹部１４からの携帯用機器５００の取出は、収納用リブ１３の第２の規制壁１６、１６にそれぞれ形成された取出用凹部１６ａ、１６ａからそれぞれ２本の指を収納凹部１４に挿入し、携帯用機器５００を左右両側から把持することにより容易に行うことが可能である。
【０１０７】
このように収納用リブ１３には取出用凹部１６ａ、１６ａが形成されているため、収納凹部１４からの携帯用機器５００の取出が容易であり、出力装置１の使い勝手の向上を図ることができる。
【０１０８】
以上に記載した通り、出力装置１にあっては、一対のバックル７、７を回動させることにより蓋体３のケース体２に対するロック及びロックの解除を行うことができる。従って、両手を使用して一度の操作によって蓋体３のケース体２に対するロック及びロックの解除を行うことが可能であり、出力装置１の使い勝手の向上を図ることができる。
【０１０９】
また、ケース体２と蓋体３はヒンジ部４によって連結され蓋体３が開放位置にある状態においても蓋体３がケース体２から分離されないため、蓋体３をケース体２に対して位置合わせしてから蓋体３のケース体２に対するロックを行う必要がなく、一層の使い勝手の向上を図ることができる。
【０１１０】
さらに、バックル７、７にはそれぞれ外周が延びる方向における両端部にそれぞれ係止爪９、９、・・・が設けられているため、ケース体２の周方向において離隔する合計４箇所でバックル７、７の係止爪９、９、・・・が蓋体３の被係止片２３、２３、・・・に係合される。
【０１１１】
従って、蓋体３のケース体２に対するロック状態の安定化を図ることができると共に良好な防水性を確保することができる。
【０１１２】
＜その他＞
上記には、ケース体２に一対のバックル７、７が回動自在に支持され、蓋体３にバックル７、７と係合される係合部２２、２２が設けられた構成を示したが、逆に、蓋体に一対のバックルが回動自在に支持され、ケース体にバックルと係合される係合部が設けられるようにしてもよい。
【０１１３】
また、上記した「防水」とは、生活防水や防滴を含むことは言うまでもない。
【０１１４】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１１５】
【図１】出力装置を示す斜視図である。
【図２】出力装置を図１とは反対方向から見た状態で示す斜視図である。
【図３】出力装置を蓋体が開放された状態で示す斜視図である。
【図４】出力装置を蓋体が開放位置にある状態で示す斜視図である。
【図５】バックルがロック位置にある出力装置を示す斜視図である。
【図６】バックルがロック解除位置にある出力装置を示す斜視図である。
【図７】ケース体を滑り止めシートを分離した状態で示す斜視図である。
【図８】バックルがロック解除位置にある状態を示す拡大断面図である。
【図９】バックルがロック位置にある状態を示す拡大断面図である。
【図１０】バックルを操作している状態を示す斜視図である。
【図１１】ケース体を携帯用機器とともに示す斜視図である。
【図１２】蓋体の斜視図である。
【図１３】操作シートの拡大斜視図である。
【図１４】操作シートの拡大断面図である。
【図１５】蓋体が閉塞位置に回動され携帯用機器が操作シートに押さえられた状態を示す断面図である。
【図１６】携帯用機器が操作シートに押さえられた状態を図１５とは直交する方向から見た状態で示す拡大断面図である。
【図１７】コネクターが接続された携帯用機器が収納凹部に配置された状態を示す斜視図である。
【図１８】バックルがロック位置にある状態において蓋体が開放位置から閉塞位置へ向けて回動され作用リブが係止爪に接した状態を示す断面図である。
【図１９】作用リブによってバックルがロック位置からロック解除位置へ向けて回動されている状態を示す断面図である。
【図２０】作用リブによってバックルがロック解除位置に回動された状態を示す断面図である。
【図２１】蓋体が開放位置から閉塞位置へ向けて回動され係止突部の第１の傾斜面が被係止突部の第１の斜面に接した状態を示す断面図である。
【図２２】蓋体が開放位置から閉塞位置へ向けてさらに回動され係止爪と被係止片が弾性変形されて係止爪が被係止片に乗り上げた状態を示す断面図である。
【図２３】係止爪と被係止片が弾性復帰されて蓋体がケース体に対してロックされた状態を示す断面図である。
【図２４】操作シートの外側から携帯用機器の操作部が操作されている状態を示す斜視図である。
【符号の説明】
【０１１６】
１…出力装置、２…ケース体、３…蓋体、４…ヒンジ部、７…バックル、８ａ…把持用凹部、９…係止爪、１２…収納部、２２…係合部、２３…被係止片、２３ａ…作用リブ、５００…携帯用機器
【図１】
2012049793.tif 000003
【図２】
2012049793.tif 000004
【図３】
2012049793.tif 000005
【図４】
2012049793.tif 000006
【図５】
2012049793.tif 000007
【図６】
2012049793.tif 000008
【図７】
2012049793.tif 000009
【図８】
2012049793.tif 000010
【図９】
2012049793.tif 000011
【図１０】
2012049793.tif 000012
【図１１】
2012049793.tif 000013
【図１２】
2012049793.tif 000014
【図１３】
2012049793.tif 000015
【図１４】
2012049793.tif 000016
【図１５】
2012049793.tif 000017
【図１６】
2012049793.tif 000018
【図１７】
2012049793.tif 000019
【図１８】
2012049793.tif 000020
【図１９】
2012049793.tif 000021
【図２０】
2012049793.tif 000022
【図２１】
2012049793.tif 000023
【図２２】
2012049793.tif 000024
【図２３】
2012049793.tif 000025
【図２４】
2012049793.tif 000026